(57)【要約】【課題】通信装備は、頻繁な熱発生によって各種誤動作を誘発するおそれがあるので、作動の安定性を確保するためには２４時間年中無休で冷房させなければならないが、従来の通信装備冷房装置は、外部の温度による自然状態の冷気を適切に利用せず、単純に外部電力による駆動方式を採用ため、その電力浪費が激しい。【解決手段】そこで本発明は、通信装備が設置された基地局の室内に配置される室内機モジュールと、前記基地局の室外に配置される室外機モジュールと、ブライン冷凍サイクルとを含む通信装備冷房装置を提供する。【選択図】図１
2010501826.tif 000002
【特許請求の範囲】
【請求項１】
通信装備が設置された基地局の室内に配置され、室内熱交換器、および前記室内熱交換器に近接した室内送風機を内蔵した室内機モジュールと、
前記基地局の室外に配置され、室外送風機を内蔵した室外機モジュールと、
ブライン配管上の前記室内熱交換器、ブラインポンプ、ブライン用第１および第２室外熱交換器、並びに第１および第２ブライン冷却器がブラインの循環方向に接続されたブライン冷凍サイクルと、
冷媒配管上の第１および第２膨張弁、前記ブライン配管上の第１および第２ブライン冷却器、第１および第２圧縮機、並びに冷媒用第１および第２室外熱交換器が冷媒の循環方向に接続された冷媒冷凍サイクルとを含み、
前記第１および第２膨張弁は前記冷媒配管上に並列接続され、前記第１および第２ブライン冷却器は前記冷媒配管上に並列接続され、
前記ブライン用第１室外熱交換器は前記冷媒用第１室外熱交換器に近接し、前記ブライン用第２室外熱交換器は前記冷媒用第２室外熱交換器に近接し、
前記室外送風機は前記冷媒用第１室外熱交換器と前記冷媒用第２室外熱交換器との間に位置し、
前記ブラインポンプ、前記第１および第２ブライン冷却器、前記第１および第膨張弁、並びに第１および第２圧縮機は前記室内機モジュールおよび前記室外機モジュールのいずれか一方に選択的に内蔵されることを特徴とする、通信装備用冷房装置。
【請求項２】
前記ブライン用第１および第２室外熱交換器は前記室外機モジュールの外側方向に配置され、
前記冷媒用第１および第２室外熱交換器は前記室外機モジュールの内側方向に配置され、
前記室外送風機は前記冷媒用第１および第２熱交換器間の中間に配置されることを特徴とする、請求項１に記載の通信装備用冷房装置。
【請求項３】
前記第１および第２圧縮機は、分岐点と合一点との間の冷媒配管に設置され、並列に接続され、
前記冷媒用第１および第２室外熱交換器は直列または並列に接続され、
前記ブライン用第１および第２室外熱交換器は直列または並列に接続され、
前記第１および第２ブライン冷却器はブライン配管上において直列または並列に接続されていることを特徴とする、請求項１または２に記載の通信装備用冷房装置。
【請求項４】
前記第１圧縮機は、分岐点の下流であり、前記冷媒用第１室外熱交換器の流入口側に位置する冷媒配管に設置され、
前記第２圧縮機は、前記分岐点の下流であり、前記冷媒用第２室外熱交換器の流入口側に位置する冷媒配管に設置され、
前記ブライン用第１および第２室外熱交換器は直列または並列に接続され、
前記第１および第２ブライン冷却器はブライン配管上において直列または並列に接続されていることを特徴とする、請求項１または２に記載の通信装備用冷房装置。
【請求項５】
前記第１圧縮機は、分岐点の上流であり、前記第１ブライン冷却器の流出口側に位置する冷媒配管に設置され、
前記第２圧縮機は、前記分岐点の上流であり、前記第２ブライン冷却器の流出口側に位置する冷媒配管に設置され、
前記冷媒用第１および第２室外熱交換器は直列または並列に接続され、
前記ブライン用第１および第２室外熱交換器はブライン配管上において直列または並列に接続されていることを特徴とする、請求項１または２に記載の通信装備用冷房装置。
【発明の詳細な説明】
【技術分野】
【０００１】
本発明は、通信装備の冷房装置に係り、さらに詳しくは、相対的に小さいサイズを有し、騒音、過熱および誤作動から通信装備を安定的に保護する通信装備用冷房装置およびその制御方法に関する。
【背景技術】
【０００２】
一般に、冷房装置(air conditioner)は、冷媒が蒸発するときに周囲から熱を奪い取る蒸発熱を利用するものであって、冷媒としては通常低温でも容易に蒸発するアンモニア、フレオン、共沸混合冷媒、クロロメチルなどの液体を使用する。
【０００３】
この種の冷房装置は、圧縮機、凝縮器、膨張弁、毛細管および蒸発器を含んでなる。圧縮機は気体状態の冷媒を高圧で圧縮し、圧縮された気体状態の冷媒を凝縮器に出力する。凝縮器は圧縮された気体状態の冷媒を外気との熱交換によって液体状態の冷媒に凝縮させる。液体状態の冷媒は膨張弁および毛細管を介して低圧の噴霧状態の冷媒に変換される。
【０００４】
その後、低圧の噴霧状態の冷媒は、蒸発器に流入して内気との熱交換によって蒸発した後、さらに圧縮機に流入する。上述したように、冷媒は圧縮機、凝縮器、膨張弁および蒸発器を循環する。この際、蒸発器から発生した冷媒の蒸発熱によって冷却された空気は、送風ファンによって、冷房しようとする所定の空間または対象体に送風される。
【０００５】
すなわち、このような通常の冷房装置は、液化や蒸発などの相変化が容易な冷媒を用いて、冷房しようとする所定の空間または対象体を冷却する。
【０００６】
一般に、通信基地局または通信車両などの場合、その内部に多数の有無線通信装置が設置されるが、このような通信装備は、頻繁な熱発生によって接触不良および機器故障などの各種誤動作を誘発するおそれがあるので、作動の安定性を確保するためには２４時間年中無休で冷房させなければならない。
【０００７】
通信装備を冷却するために冷房装置を使用する。ところが、従来の通信装備用冷房装置は、外部の温度による自然状態の冷気を適切に利用せず、単純に外部電力による駆動方式を採用する。よって、従来の冷房装置はその電力浪費が激しいという欠点がある。
【先行技術文献】
【特許文献】
【０００８】
【特許文献１】特開２００４−２００３４４
【発明の概要】
【発明が解決しようとする課題】
【０００９】
本発明は、前述した従来の技術の問題点を解決するためのもので、その目的は、室外機のサイズと騒音を減らすとともに、外部温度による自然状態の冷気を適切に利用することにより、電力浪費を最小化し、通信装備の冷房状態を安定的に維持し、二重熱交換構造によって冷凍サイクル中の高温部（放熱部）の放熱効率を向上させた通信装備用冷房装置およびその制御方法を提供することにある。
【００１０】
本発明の他の目的および利点は、次の記述から理解され、本発明の実施例を参照して明らかになるであろう。また、本発明の当業者にとって明らかなように、本発明の目的および利点が請求の範囲およびその組み合わせを通じて実現できる。
【課題を解決するための手段】
【００１１】
本発明のある観点によれば、（１）通信装備が設置された基地局の室内に配置され、室内熱交換器、および前記室内熱交換器に近接した室内送風機を内蔵した室内機モジュールと；前記基地局の室外に配置され、室外送風機を内蔵した室外機モジュールと；ブライン配管上の前記室内熱交換器、ブラインポンプ、ブライン用第１および第２室外熱交換器、並びに第１および第２ブライン冷却器がブラインの循環方向に接続されたブライン冷凍サイクルと；冷媒配管上の第１および第２膨張弁、前記ブライン配管上の第１および第２ブライン冷却器、第１および第２圧縮機、並びに冷媒用第１および第２室外熱交換器が冷媒の循環方向に接続された冷媒冷凍サイクルとを含んでなり、前記第１および第２膨張弁は前記冷媒配管上に並列接続され、前記第１および第２ブライン冷却器は前記冷媒配管上に並列接続され、前記ブライン用第１室外熱交換器は前記冷媒用第１室外熱交換器に近接し、前記ブライン用第２室外熱交換器は前記冷媒用第２室外熱交換器に近接し、前記室外送風機は前記冷媒用第１室外熱交換器と前記冷媒用第２室外熱交換器との間に位置し、前記ブラインポンプ、前記第１および第２ブライン冷却器、前記第１および第２膨張弁、並びに第１および第２圧縮機は前記室内機モジュールおよび前記室外機モジュールのいずれか一方に選択的に内蔵されることを特徴とする、通信装備用冷房装置を提供する。
【００１２】
また本発明は、（２）前記ブライン用第１および第２室外熱交換器は前記室外機モジュールの外側方向に配置され、前記冷媒用第１および第２室外熱交換器は前記室外機モジュールの内側方向に配置され、前記室外送風機は前記冷媒用第１および第２熱交換器間の中間に配置されることを特徴とする、上記（１）に記載の通信装備用冷房装置を提供する。
【００１３】
また本発明は、（３）前記第１および第２圧縮機は、分岐点と合一点との間の冷媒配管に設置され、並列に接続され、前記冷媒用第１および第２室外熱交換器は直列または並列に接続され、前記ブライン用第１および第２室外熱交換器は直列または並列に接続され、前記第１および第２ブライン冷却器はブライン配管上において直列または並列に接続されていることを特徴とする、上記（１）または（２）に記載の通信装備用冷房装置を提供する。
【００１４】
また本発明は、（４）前記第１圧縮機は、分岐点の下流であり、前記冷媒用第１室外熱交換器の流入口側に位置する冷媒配管に設置され、前記第２圧縮機は、前記分岐点の下流であり、前記冷媒用第２室外熱交換器の流入口側に位置する冷媒配管に設置され、前記ブライン用第１および第２室外熱交換器は直列または並列に接続され、前記第１および第２ブライン冷却器はブライン配管上において直列または並列に接続されていることを特徴とする、上記（１）または（２）に記載の通信装備用冷房装置を提供する。
【００１５】
また本発明は、前記第１圧縮機は、分岐点の上流であり、前記第１ブライン冷却器の流出口側に位置する冷媒配管に設置され、前記第２圧縮機は、前記分岐点の上流であり、前記第２ブライン冷却器の流出口側に位置する冷媒配管に設置され、前記冷媒用第１および第２室外熱交換器は直列または並列に接続され、前記ブライン用第１および第２室外熱交換器はブライン配管上において直列または並列に接続されていることを特徴とする、上記（１）または（２）に記載の通信装備用冷房装置を提供する。
【００１６】
本発明の一実施例に係る通信装備用冷房装置は、物理的に室内機モジュールと室外機モジュールに分けられる。前記室内機モジュールと前記室外機モジュールには、冷凍サイクルに使用される膨張弁、蒸発器（別名として熱交換器、吸熱部、低温部）、圧縮機および凝縮器（別名として熱交換器、放熱部、高温部）が分散配置されて配管によって接続される。また、本発明の冷凍サイクルはブライン冷凍サイクルと第１および第２冷媒冷凍サイクルからなっている。ブライン冷凍サイクルは通信装備を直接冷却させるサイクルである。ブライン冷凍サイクルの放熱部は、外気を利用したブライン用第１および第２室外熱交換器と、第１および第２冷媒冷凍サイクルのブライン冷却器とからなっており、ブラインを選択的に冷却する。
【００１７】
特に、放熱部において、室外送風機は、室外空気を前記ブライン用第１室外熱交換器と前記冷媒用第１室外熱交換器に順次通過させて外部に送風し、または前記ブライン用第２室外熱交換器と前記冷媒用第２室外熱交換器に順次通過させて外部に送風することにより、放熱効率を向上させるという特徴がある。
【発明の効果】
【００１８】
このように構成された本発明の通信装備用冷房装置およびその制御方法は、室外機のサイズと騒音を減らしながらも、外部温度による自然状態の冷気を適切に利用することにより電力浪費を最小化し、通信装備の冷房状態を安定的に維持し、二重熱交換構造によって冷凍サイクル中の高温部（放熱部）の放熱効率を向上させる。
【図面の簡単な説明】
【００１９】
【図１】本発明の一実施例に係る通信装備用冷房装置を示す構成図である。
【図２】本発明の一実施例に係る通信装備用冷房装置の室外機モジュールの二重熱交換構造を示す斜視図である。
【図３】本発明の一実施例に係る通信装備用冷房装置の冷媒用第１および第２室外熱交換器の直列接続図である。
【図４】本発明の一実施例に係る通信装備用冷房装置のブライン用第１および第２室外熱交換器の並列接続図である。
【図５】本発明の一実施例に係る通信装備用冷房装置の第１および第２ブライン冷却器のブライン配管上の並列接続図である。
【図６】本発明の他の実施例に係る通信装備用冷房装置を示す構成図である。
【図７】本発明の別の実施例に係る通信装備用冷房装置を示す構成図である。
【発明を実施するための形態】
【００２０】
本発明の利点、特徴および観点は、添付図面を参照する次の実施例の説明からさらに明確に理解されるであろう。
【００２１】
図１および図２には実施例１−０が示されている。本実施例に係る冷房装置はブライン冷凍サイクルと冷媒冷凍サイクルからなっている。
【００２２】
ブライン冷凍サイクルは、ブライン配管１２０を介してブライン用第１および第２室外熱交換器２１０、２３０、ブライン冷却機１５１、１５２、室内熱交換器１１０、並びにブラインポンプ２２０が接続されて構成される。前記ブライン用第１および第２室外熱交換器２１０、２３０と第１および第２ブライン冷却器１５１、１５２は冷凍サイクル上の放熱部または膨張部に対応し、前記室内熱交換器１１０は冷凍サイクル上の吸熱部に相当し、前記ブラインポンプ２２０は冷凍サイクル上の圧縮機に対応する。
【００２３】
冷媒冷凍サイクルは、冷媒配管１４０を介して第１および第２膨張弁１３１、１３２、第１および第２ブライン冷却器１５１、１５２、第１および第２圧縮機１６１、１６２、並びに冷媒用第１および第２室外熱交換器２４０、２５０が接続されて構成される。
【００２４】
前記第１および第２ブライン冷却器１５１および１５２は、冷媒冷凍サイクルとブライン冷凍サイクルで共有されて冷媒配管１４０およびブライン配管１２０とそれぞれ接続されており、冷媒冷凍サイクルでは吸熱部として作用し、ブライン冷凍サイクルでは放熱部として作用する。
【００２５】
物理的に、本発明の通信装備用冷房装置は、基地局３００の室内空間に配置される室内機モジュール１００、および基地局３００の室外空間に配置される室外機モジュール２００から構成される。
【００２６】
前記室内機モジュール１００および前記室外機モジュール２００には、ブライン冷凍サイクルおよび冷媒冷凍サイクルの機器が多様に分散配置できる。図１には好適な実施例として前記機器が分散配置されている。
【００２７】
室内機モジュール１００は室内熱交換器１１０、室内送風機１７０およびブラインポンプ２２０などを含む。
【００２８】
前記室内熱交換器１１０は、ブライン配管１２０上に設置され、その内部に備えられた熱交換用チューブ１１１がブライン配管１２０と接続される。
【００２９】
前記室内送風機１７０は、前記室内熱交換器１１０で熱交換が行われる伝熱面上に近接して配置され、室内熱交換器１１０の熱交換作用によって形成された冷気を通信装備４００側に送風して熱交換効率を増大させる。
【００３０】
前記ブラインポンプ２２０は、前記室内機モジュール１００の室内熱交換器１１０から延長されたブライン配管１２０上に設置され、ブラインをブライン配管１２０を介して循環させる。前記ブラインポンプ２２０は、一対のブラインポンプ２２０をブライン配管１２０に並列接続させ、いずれか一方のブラインポンプ２２０に故障が発生しても他方のブラインポンプ２２０を作動させることができるようにして、基地局３００内の通信装備４００の冷房を安定的に維持することができる。場合によっては、前記ブラインポンプ２００が一つのブラインポンプからなってもよい。また、前記ブラインポンプ２００はその流入口および流出口側に調節弁が個別的に設置され、通過するブラインの流量を適切に調節するようにすることが好ましい。
【００３１】
室外機モジュール２００は、前記ブライン配管１２０上に設置されるブライン用第１室外熱交換器２１０、２３０と第１および第２ブライン冷却器１５１、１５２を含む。また、室外機モジュール２００は、冷媒配管１４０上に設置される第１および第２膨張弁１３１、１３２、第１および第２ブライン冷却器１５１、１５２、第１および第２圧縮機１６１、１６２、並びに冷媒用第１および第２室外熱交換器２４０、２５０を含む。
【００３２】
次に、室外機に内蔵され、ブライン冷凍サイクルに該当する機器について説明する。前記ブライン用第１室外熱交換器２１０は、前記室外機モジュール２００に設置され、前記室内機モジュール１００に内蔵されたブラインポンプ２２０とブライン配管１２０を介して接続されており、室外空気との熱交換によって放熱する。基本的に、放熱するためには室外空気の温度がブラインの温度より低くなければならない。
【００３３】
前記ブライン用第２室外熱交換器２３０は前記室外機モジュール２００に設置される。前記ブライン用第２室外熱交換器２３０は、入口側が前記ブライン用第１室外熱交換器２１０とブライン配管１２０を介して接続されており、出口側が第１ブライン冷却器１５１と接続されているため、室外空気と接触することにより放熱する。すなわち、ブライン用第１および第２室外熱交換器２３０、２５０は、直列接続されており、ブラインがブライン用第１および第２室外熱交換器２３０、２５０を二重に通過することができるため、ブライン用室外熱交換器の放熱容量を増大させる。
【００３４】
前記第１ブライン冷却器１５１は、入口側が前記ブライン用第２室外熱交換器２３０とブライン配管１２０を介して接続されており、出口側が第２ブライン冷却器１５２と接続されている。一方、冷媒配管上の冷媒も前記第１ブライン冷却器１５１を吸熱部の作用によって流れているため、冷媒配管上の冷媒がブラインを冷却する。
【００３５】
前記第２ブライン冷却器１５２は、入口側が前記第１ブライン冷却器１５１とブライン配管１２０を介して接続されており、出口側が室内機モジュール１００の室内熱交換器１１０と接続されている。一方、冷媒配管上の冷媒も前記第２ブライン冷却器１５２を吸熱部の作用によって流れているため、冷媒配管上の冷媒が再びブラインを冷却する。すなわち、ブライン配管上の第１ブライン冷却器１５１と第２ブライン冷却器１５２とが直列接続されており、ブラインが第１および第２ブライン冷却器１５１、１５２を二重に通過することができるため、ブラインの冷却程度を選択的に適切に調節することができる。一方、冷媒配管上、第１ブライン冷却器１５１と第２ブライン冷却器１５２とが並列接続されているため、第１および第２ブライン冷却器の流入口側に冷媒が分流されて流入し、第１および第２ブライン冷却器の流出口側から冷媒が合流されて流出する。
【００３６】
前記ブライン(Brine)は。低い凍結点を有するＣａＣｌ２やＮａＣｌなどの溶液または液体であって、間接式冷凍法に主に用いられる。
【００３７】
次に、冷媒冷凍サイクルに該当する機器について説明する。前記第１および第２膨張弁１３１、１３２は、冷媒配管１４０上に設置され、冷媒配管１４０から供給された高圧の液状冷媒を急激に低温、低圧の噴霧状態の冷媒に変換させる。前記第１および第２膨張弁１３１、１３２は配列に接続されている。本実施例では、フレオン、アンモニア、共沸混合冷媒、クロロメチルなどの一般な冷媒が使用される。
【００３８】
前記第１ブライン冷却器１５１は、その内部に熱交換用チューブ１５３が備えられ、前記第１膨張弁１３１から延長される冷媒配管１４０に接続される。この第１ブライン冷却器１５１は、蒸発器であって、低圧の噴霧状態の冷媒を蒸発させ、この際、発生する冷媒の蒸発熱によってブラインを冷却する。
【００３９】
前記第２ブライン冷却器１５２は、その内部に熱交換用チューブ１５３が備えられ、前記第２膨張弁１３２から延長される冷媒配管１４０に接続される。この第２ブライン冷却器１５２は、蒸発器であって、低圧の噴霧状態の冷媒を蒸発させ、この際、発生する冷媒の蒸発熱によってブラインを冷却する。一方、前記第１および第２ブライン冷却器１５１、１５２は冷媒配管１４０上に並列に接続されており、ブライン配管１２０上に直列または並列に接続される。
【００４０】
前記第１および第２圧縮機１６１、１６２は並列に接続されており、前記第１および第２ブライン冷却器１５１、１５２を通過し、合一点５０３で合流された冷媒を圧縮するために前記第１および第２ブライン冷却器１５１、１５２から延長される冷媒配管１４０に接続され、気化した冷媒を高圧で圧縮する通常の圧縮機である。一方、前記第１および第２圧縮機１６１、１６２を並列に接続させ、いずれか一方の圧縮機１６１、１６２に故障が発生しても他側の圧縮機１６１、１６２を作動させることができるようにして、基地局３００内の通信装備４００の冷房を安定的に維持することができる。前記第１および第２圧縮機１６１、１６２は、その流入口および流出口側に調節弁５０１が個別的に設置され、通過するブラインの流量を適切に調節するようにすることが好ましい。
【００４１】
冷媒用第１および第２室外熱交換器２４０、２５０は、その内部にそれぞれ熱交換用チューブ２４１、２５１が備えられ、並列に接続されている。すなわち、前記冷媒用第１室外熱交換器２４０は、前記第１および第２圧縮機１６１、１６２の流出口上に位置する分岐点５０２から分岐された一側の冷媒配管１４０に設置され、前記ブライン配管１２０上のブライン用第１室外熱交換器２１０に近接して設置される。前記冷媒用第２室外熱交換器２５０は、前記分岐点５０２から分岐された他側の冷媒配管１４０に設置され、前記ブライン配管１２０上のブライン用第２室外熱交換器２３０に近接して設置される。具体的に、室外空気の流入方向側面で前記ブライン用第１および第２室外熱交換器２１０、２３０が先に室外空気と接触するように配置される。前記冷媒用第１および第２室外熱交換器２４０、２５０は、凝縮器であって、前記第１および第２圧縮機１６１、１６２から供給された高圧の冷媒を凝縮させて液化させる熱交換器の一種である。前記冷媒用第１および第２室外熱交換器２４０、２５０の流出口側の冷媒配管は、合流された後、さらに分岐されてそれぞれ前記第１および第２膨張弁１３１、１３２に接続される。
【００４２】
一方、室外空気の流入側に前記室外熱交換器が設置される場合には、前記ブライン用第１および第２室外熱交換器２１０、２３０が外側に配置され、前記冷媒用第１および第２室外熱交換器２４０、２５０が内側に配置される（図２）。これに対し、室外空気の流出側に設置される場合には、前記ブライン用第１および第２室外熱交換器２１０、２３０が内側に配置され、前記冷媒用第１および第２室外熱交換器２４０、２５０が外側に配置される。
【００４３】
室外送風機２６０は、前記ブライン用第１および第２室外熱交換器２１０、２３０と冷媒用第１および第２室外熱交換器２４０、２５０の熱交換が起る伝熱面に近接して配置され、前記室外熱交換器２１０、２３０、２４０、２５０における外部室外空気の接触および熱交換効率を増大させる。
【００４４】
ここで、本発明の一実施例として、特に冷媒用第１および第２室外熱交換器２４０、２５０は、前記室外送風機２６０を挟む方式で互いに間隔をおいて室外機モジュール２００の内側（内部方向）に向かって対向するように配置され、ブライン用第１および第２室外熱交換器２１０、２３０は、前記冷媒用第１および第２室外熱交換器２４０、２５０の外側（室外機モジュール２００の外部方向、すなわち室外機モジュール２００の室外空気流入口側）にそれぞれ冷媒用第１および第２室外熱交換器２４０、２５０と対向するように配置される。これによって空間効率を高めて室外機モジュール２００のサイズを小さくすることができるうえ、室外送風機２６０の数を少なくすることができるため、騒音も一層低減させることができる。
【００４５】
室外送風機２６０は、前記冷媒用第１および第２室外熱交換器２４０、２５０の中間、例えば図２では室外機モジュール２００の中央上部に配置され、室外送風機２６０が作動すると、室外空気を室外機モジュール２００の室外空気流入口、例えば図２で熱交換器２１０、２３０の左右から吸入して上部の送風口Ｖへさらに排出することにより、室外空気が、ブライン用第１および第２室外熱交換器２１０、２３０と冷媒用第１および第２室外熱交換器２４０、２５０を順次経由した後、さらに外部へ送風されるようにする。
【００４６】
これは冷媒用第１および第２室外熱交換器２４０、２５０より相対的に低温のブライン用第１および第２室外熱交換器２１０、２３０に室外空気を先に通過させるためである。すなわち、室外空気がブライン用第１および第２室外熱交換器２１０、２３０より高温の冷媒用第１および第２室外熱交換器２４０、２５０を先に通過することにより、ブライン用第１および第２室外熱交換器２１０、２３０の熱交換効率が低下することを防止するためである。
【００４７】
図３〜図５にはそれぞれ冷媒用第１および第２室外熱交換器２４０、２５０、ブライン用第１および第２室外熱交換器２１０、２３０、並びにブライン用配管上の第１および第２ブライン冷却器１５１、１５２の直列、並列の別の実施例が示されている。
【００４８】
図１に示した実施例１−０を基準として、前記冷媒用第１および第２室外熱交換器２４０、２５０、ブライン用第１および第２室外熱交換器２１０、２３０、並びにブライン配管上の第１および第２ブライン冷却器１５１、１５２の直列、並列による変更された実施例が可能である。これを示すと、次の表１のとおりである。
【００４９】
［表１］
2010501826.tif 000003
【００５０】
実施例１−１〜１−７は実施例１−０を基準として差異点を中心に説明する。
【００５１】
実施例１−１において、ブライン用第１および第２室外熱交換器２１０、２３０が直列から並列に変更されており、実施例１−１は図１および図４によって再構成できる。前記ブライン用第１および第２室外熱交換器２１０、２３０の並列接続はブライン配管１２０が流入口側で分岐され、流出口側で合一される。分岐されたブライン配管１２０の一側に前記ブライン用第１室外熱交換器２１０が設置され、分岐されたブライン配管１２０の他側に前記ブライン用第２室外熱交換器２３０が設置される。
【００５２】
実施例１−２において、第１および第２ブライン冷却器１５１、１５２が直列から並列に変更されており、実施例１−２は図１および図５によって再構成できる。前記第１および第２ブライン冷却器１５１、１５２のブライン配管上の並列接続はブライン配管１２０が流入口側で分岐され、流出口側で合一される。分岐されたブライン配管１２０の一側に前記第１ブライン冷却器１５１が設置され、分岐されたブライン配管１２０の他側に前記第２ブライン冷却器１５２が設置される。
【００５３】
実施例１−４において、 第１および第２室外熱交換器２４０、２５０が並列から直列に変更されており、実施例１−４は図１および図３によって再構成できる。前記冷媒用第１室外熱交換器２４０の流出口側の冷媒配管１４０が前記冷媒用第２室外熱交換器２５０の流入口側の冷媒配管１４０に接続されることにより、冷媒冷凍サイクルの放熱容量を向上させる。
【００５４】
言及されていない実施例１−３、実施例１−５、実施例１−６および実施例１−７も、前述したように再構成できる。実施例１−０を基準として、実施例１−３はブライン用第１および第２室外熱交換器２１０、２３０と第１および第２ブライン冷却器１５１、１５２の全てが直列から並列に変更されており、実施例１−５は冷媒用第１および第２室外熱交換器２４０、２５０が並列から直列に変更され、ブライン用第１および第２室外熱交換器２１０、２３０が直列から並列に変更され、実施例１−６は冷媒用第１および第２室外熱交換器２４０、２５０が並列から直列に変更され、第１および第２ブライン冷却器１５１、１５２が直列から並列に変更され、実施例１−７は冷媒用第１および第２室外熱交換器２４０、２５０が並列から直列に変更され、ブライン用第１および第２室外熱交換器２１０、２３０と第１および第２ブライン冷却器１５１、１５２が直列から並列に変更される。
【００５５】
図６は本発明の他の実施例に係る通信装備用冷房装置を示す。すなわち、図６には実施例２−０が示されている。図６に示した実施例２−０を基準として、ブライン用第１および第２室外熱交換器２１０、２３０とブライン配管上の第１および第２ブライン冷却器１５１、１５２の直列および並列接続による変更された実施例が可能である。これを示すと、次の表２のとおりである。
【００５６】
［表２］
2010501826.tif 000004
【００５７】
実施例１−０を基準として、実施例２−０の差異点を中心として説明する。
【００５８】
図１および図６に示すように、実施例２−０において、第１および第２圧縮機１６１、１６２が分岐点５０２の下流に位置し、前記第１圧縮機１６１は冷媒用第１室外熱交換器２４０の流入側と冷媒配管１４０を介して接続されており、前記第２圧縮機１６２は冷媒用第２室外熱交換器２５０の流入側と冷媒配管１４０を介して接続されているため、第１圧縮機１６１と冷媒用第１室外熱交換器２４０が弁５０１および電源スイッチ（図示せず）などに一括的に制御できる。
【００５９】
実施例２−０を基準として、実施例２−１〜２−３の差異点を中心として説明する。
【００６０】
実施例２−０を基準として、図４および図６に示した実施例２−１ではブライン用第１および第２室外熱交換器２１０、２３０が直列から並列に変更されており、図５および図６に示した実施例２−２では第１および第２ブライン冷却器１５１、１５２が直列から並列に変更されており、 図４、図５および図６に示した実施例２−３はブライン用第１および第２室外熱交換器２１０、２３０と第１および第２ブライン冷却器１５１、１５２の全てが直列から並列に変更される。
【００６１】
図７は本発明の別の実施例に係る通信装備用冷房装置を示す。すなわち、図７には実施例３−０が示されている。図７に示した実施例３−０を基準として、前記冷媒用第１および第２室外熱交換器２４０、２５０、ブライン用第１および第２室外熱交換器２１０、２３０、並びにブライン配管上の第１および第２ブライン冷却器１５１、１５２の直列および並列接続による変更された多様な実施例が可能である。これを示すと、次の表３のとおりである。
【００６２】
［表３］
2010501826.tif 000005
【００６３】
次に、実施例１−０を基準として、実施例３−０との差異点を中心として説明する。
【００６４】
図１および図７に示すように、実施例３−０において、第１および第２圧縮機１６１、１６２が合一点５０３の上流に位置し、前記第１圧縮機１６１は第１ブライン冷却器１５１の流出口側と冷媒配管１４０を介して接続されており、前記第２圧縮機１６２は第２ブライン冷却器１５２の流出口側と冷媒配管１４０を介して接続されているため、第１圧縮機１６１と第１ブライン冷却器１５１が弁５０１および電源スイッチ（図示せず）などによって一括的に制御できる。
【００６５】
次に、実施例３−０を基準として、実施例３−１〜実施例３−７の差異点を中心として説明する。
【００６６】
実施例３−０を基準として、図４および図７に示した実施例３−１ではブライン用第１および第２室外熱交換器２１０、２３０が直列から並列に変更されており、実施例３−２では第１および第２ブライン冷却器１５１、１５２が直列から並列に変更されており、実施例３−３ではブライン用第１および第２室外熱交換器２１０、２３０と第１および第２ブライン冷却器１５１、１５２の全てが直列から並列に変更されている。
【００６７】
実施例３−０を基準として、実施例３−４では冷媒用第１および第２室外熱交換器２４０、２５０が並列から直列に変更され、実施例３−５では冷媒用第１および第２室外熱交換器２４０、２５０が並列から直列に変更され、ブライン用第１および第２室外熱交換器２１０、２３０が直列から並列に変更されており、実施例３−６では冷媒用第１および第２室外熱交換器２４０、２５０が並列から直列に変更され、第１および第２ブライン冷却器１５１、１５２が直列から並列に変更されており、実施例３−７では冷媒用第１および第２室外熱交換器２４０、２５０が並列から直列に変更され、ブライン用第１および第２室外熱交換器２１０、２３０と第１および第２ブライン冷却器１５１、１５２は直列から並列に変更される。
【００６８】
付け加えると、ブライン冷凍サイクルまたは冷媒冷凍サイクルに複数の機器が設置された場合、各機器は運転条件に応じて直列または並列に接続され、最適に冷房装置が稼動できる。
【００６９】
次に、冷房装置を制御するための温度感知センサー、制御部（図示せず）、作動手段（図示せず）などについて説明する。
【００７０】
その冷房作用を効果的に制御するために、基地局３００の室内には室内温度感知センサー１８０が設置され、基地局の室外には室外温度感知センサー１８１が設置される。ブライン温度感知センサー１８２は、室外機モジュール２００内に位置し、ブライン用第１室外熱交換器２１０の入口側のブライン配管１２０に設置される。
【００７１】
前記制御部は、好ましくはマイクロプロセッサまたはＰＬＣなどの制御装置である。前記作動手段は、冷房装置全体の電源スイッチ、ブライン冷凍サイクル（特にブラインポンプ）圧縮機と冷媒冷凍サイクル（特に圧縮機）それぞれの電源スイッチ、室内送風機用個別スイッチ、室外送風機用個別スイッチ、およびバイパス用弁または室外空気の流入口を開閉する電動式ルーバー(louver)などである。
【００７２】
通信装備の特性および運営経済上、室内温度は２５℃前後が適当である。室外温度は春、夏、秋、冬に変動し、室内温度は通信装備によって室外温度よりも上昇するという特徴がある。
【００７３】
冬の場合には、室内外温度が通常２５℃以下なので、別途に冷凍装置を稼動する必要のない場合が多い。
【００７４】
春および秋の場合には、室外温度が通常２５℃以下なので、ブライン冷凍サイクルのみを稼動して通信装備を冷却させることができる。すなわち、室外空気（外気）によって通信装備を冷却させるのである。この場合には、室外空気がブライン温度より低くなければならず、冷媒冷凍サイクルを停止させ、ブライン用第１および第２室外熱交換器２１０、２３０によって室外空気でブラインを冷却させ、冷却したブラインが室内熱交換器１１０によって通信装備を冷房する。
【００７５】
一方、暑い夏の場合には、室外温度が通常２５℃以上であり、ブライン温度よりも室外温度が高いため、ブライン冷凍サイクルは不適であり（ブライン用第１および第２室外熱交換器の作動が不適である）、冷媒冷凍サイクルを稼動して第１および第２ブライン冷却器１５１、１５２によってブラインを冷却して通信装備を冷却させることができる。
【００７６】
場合によっては、ブライン用第１および第２室外熱交換器と冷媒冷凍サイクルが一緒に作動できる。
【００７７】
例えば、室内温度の第１、第２および第３設定値をそれぞれ２５℃、２６．５℃、２７．５℃に設定し、室内温度感知センサーによって測定された実際の室内温度と前記設定値とを比較して圧縮機の稼動有無および稼動台数を制御することができる。
【００７８】
測定された室内温度が室内温度第１設定値未満の場合には冷媒冷凍サイクルおよびブライン冷凍サイクル全体を中止させ、測定された室内温度が室内温度第２設定値超過の場合には第１圧縮機のみを作動させ、測定された室内温度が室内温度第３設定値超過の場合には第１および第２圧縮機の全てを作動させる。
【００７９】
具体的な運転方法は、通信装備の特性、基地局の特性、季節の特性（室外温度）、最適の室内温度、ブラインの種類、冷媒種類、流量、各種冷媒冷凍サイクルにおける機器性能、センサー、および作動手段などによって様々に行われ得る。
【００８０】
以上、本発明の特定の好適な実施例について説明したが、当業者であれば、添付した請求の範囲に開示された本発明の精神と範囲から逸脱することなく、様々な変形および変更を加え得ることを理解するであろう。
【符号の説明】
【００８１】
１００  室内機モジュール
１１０  室内熱交換器
１２０  ブライン配管
１５１  第１ブライン冷却器
１５２  第２ブライン冷却器
１６１  第１圧縮機
１６２  第２圧縮機
２００  室外機モジュール
２１０  ブライン用第１室外熱交換器
２３０  ブライン用第２室外熱交換器
２２０  ブラインポンプ
２４０  冷媒用第１室外熱交換器
２５０  冷媒用第２室外熱交換器
３００  基地局
【図１】
2010501826.tif 000006
【図２】
2010501826.tif 000007
【図３】
2010501826.tif 000008
【図４】
2010501826.tif 000009
【図５】
2010501826.tif 000010
【図６】
2010501826.tif 000011
【図７】
2010501826.tif 000012
【国際調査報告】
2010501826.tif 000013
2010501826.tif 000014